(57)【要約】【課題】動物にとって快適に横たわることのできる表面を有し、かつ、保冷効果を長時間持続させることのできる動物用保冷具を提供する。【解決手段】動物用保冷具１は、骨材、セメント、保水材、及び水を含む混練物を成形し硬化させてなり、かつ、連続空隙を有するものである。動物用保冷具１は、骨材として細骨材のみを含む表層２と、骨材として粗骨材及び細骨材を含む基層３との積層体である。動物用保冷具１は、抗菌性の金属イオンを供給し得る抗菌物質や、害虫嫌忌剤などを含むことができる。【選択図】図１
2009011276.tif 000002
【特許請求の範囲】
【請求項１】
骨材、セメント、保水材、及び水を含む混練物を成形し硬化させてなり、かつ、多数の微細な連続空隙を有することを特徴とする動物用保冷具。
【請求項２】
上記混練物が、抗菌性の金属イオンを供給し得る抗菌物質を含む請求項１に記載の動物用保冷具。
【請求項３】
上記混練物が、害虫嫌忌剤を含む請求項１又は２に記載の動物用保冷具。
【請求項４】
基層及び表層を含む動物用保冷具であって、
上記基層が、粗骨材、細骨材、セメント、保水材、及び水を含む混練物を成形し硬化させてなり、かつ、多数の微細な連続空隙を有するものであり、
上記表層が、細骨材、セメント、及び水を含む混練物（ただし、粗骨材を含まない。）を成形し硬化させてなり、かつ、多数の微細な連続空隙を有するものであることを特徴とする動物用保冷具。
【請求項５】
上記表層を形成する混練物が、着色剤を含む請求項４に記載の動物用保冷具。
【発明の詳細な説明】
【技術分野】
【０００１】
本発明は、ペット、家畜、動物園の飼育動物等の夏季用寝床等として用いるための動物用保冷具に関する。
【背景技術】
【０００２】
従来、動物用保冷具の材料として、例えば、金属が用いられている。
金属を用いた動物用保冷具の一例として、ペット動物が横たわることができる大きさの面積を有する金属板であって、その板面上に凹凸が形成されてなることを特徴とするペット動物用クーラーボードが提案されている（特許文献１）。前記金属板の材料の例として、アルミニウム、ステンレス鋼、黄銅が記載されている。
【特許文献１】特開２００３−１２５６６２号公報
【発明の開示】
【発明が解決しようとする課題】
【０００３】
動物用保冷具の材料として金属を用いた場合、動物に対する優れた冷却効果が得られるものの、金属の表面が滑らか過ぎるために、金属面上で動物が滑り易く、動物が生理的に好まないという問題がある。特に、動物の発汗によって金属面上に水分が付着した場合、滑り易さがより増大する。また、金属は、持続的な冷却源を有さず、保冷効果が長続きしないという問題もある。
そこで、本発明は、動物にとって快適に横たわることのできる表面を有し、かつ、保冷効果を長時間持続させることのできる動物用保冷具を提供することを目的とする。
【課題を解決するための手段】
【０００４】
本発明者は、上記課題を解決するために鋭意検討した結果、骨材、セメント、保水材、及び水を含む混練物を成形し硬化させてなり、かつ、多数の微細な連続空隙を有する動物用保冷具によれば、前記の目的を達成しうることを見出し、本発明を完成した。
すなわち、本発明は、以下の［１］〜［５］を提供するものである。
［１］  骨材、セメント、保水材、及び水を含む混練物を成形し硬化させてなり、かつ、多数の微細な連続空隙を有することを特徴とする動物用保冷具。
［２］  上記混練物が、抗菌性の金属イオンを供給し得る抗菌物質を含む上記［１］に記載の動物用保冷具。
［３］  上記混練物が、害虫嫌忌剤を含む上記［１］又は［２］に記載の動物用保冷具。
［４］  基層及び表層を含む動物用保冷具であって、上記基層が、粗骨材、細骨材、セメント、保水材、及び水を含む混練物を成形し硬化させてなり、かつ、多数の微細な連続空隙を有するものであり、上記表層が、細骨材、セメント、及び水を含む混練物（ただし、粗骨材を含まない。）を成形し硬化させてなり、かつ、多数の微細な連続空隙を有するものであることを特徴とする動物用保冷具。
［５］  上記表層を形成する混練物が、着色剤を含む上記［４］に記載の動物用保冷具。
【発明の効果】
【０００５】
本発明の動物用保冷具は、保水材を含みかつ多数の微細な連続空隙を有するため、連続空隙中に浸入した雨水、散布水（夏季の冷却用の打水等）等の水が、保水材によって長時間保持され、かつ、徐々に蒸散し、動物に対して長時間に亘って保冷効果を発揮することができる。
また、本発明の動物用保冷具は、骨材を含む混練物を材料としているため、表面に適度な凹凸を有し、動物の手足（例えば、肉球など）が載置されても滑ることがなく、動物に対して安心感を与えることができ、また、べとつき等の不快感を与えることがない。
さらに、本発明の動物用保冷具は、多数の微細な連続空隙を有するため、この連続空隙によって動物の汗を吸収することができる。そのため、動物の汗が、動物用保冷具と動物の体との接触面に滞留して、べとつきや滑り易さの原因になることがない。
【発明を実施するための最良の形態】
【０００６】
以下、本発明を詳細に説明する。
本発明の動物用保冷具は、骨材、セメント、保水材、及び水を含む混練物を成形し硬化させてなり、かつ、連続空隙を有するものである。
本発明の動物用保冷具を使用する対象となる動物の例としては、家庭で飼われている犬、猫、ハムスター、小鳥などのペットや、商業的に飼育されている豚、牛、うさぎ、やぎ、鶏等の家畜や、動物園で飼われている各種の哺乳類、鳥類、爬虫類の動物などが挙げられる。
本発明で使用する骨材としては、コンクリートに一般的に使用されている粗骨材及び／又は細骨材を使用することができる。
骨材の粒径は、動物用保冷具の表面を形成する部分については、動物用保冷具の表面に適度な凹凸を付与する観点から、好ましくは２０ｍｍ以下、より好ましくは１５ｍｍ以下、さらに好ましくは１０ｍｍ以下、特に好ましくは５ｍｍ以下である。特に、最大粒径が５ｍｍ以下であることが、より好ましい。
骨材の粒径は、動物用保冷具の表面を形成する部分以外の部分については、特に限定されない。
骨材の材質の種類（岩種）は、特に限定されるものではなく、例えば、安山岩、石灰岩、花崗岩等が挙げられる。これらの岩石の塊を破砕したもの（砕石）を骨材として用いてもよいし、あるいは、天然から産出する未破砕の砂利や砂を骨材として用いてもよい。
動物用保冷具の軽量化を目的として、軽量骨材を使用してもよい。軽量骨材としては、例えば、通常の骨材よりも比重が１〜２割小さい人工軽量骨材などが挙げられる。
【０００７】
本発明で使用するセメントとしては、特に限定されることがなく、例えば、普通ポルトランドセメント、早強ポルトランドセメント、中庸熱ポルトランドセメント、低熱ポルトランドセメント等の各種ポルトランドセメント等が挙げられる。廃棄物の再資源化を図るために、焼却灰等を原料の一部として用いたエコセメント等を用いてもよい。
なお、セメントの一部を、高炉スラグ粉末、フライアッシュ、石灰石粉末、珪石粉末、シリカフューム等の無機質粉末で置換することができる。ただし、これらの無機質粉末の量は、混練物の強度発現性の観点から、セメントとの合計量中で３０質量％以下であることが好ましい。
本発明で使用する保水材は、保水性を有するものであればよく、広範な無機系材料及び有機系材料の中から選択することができる。
無機系保水材としては、例えば、多孔質の素焼き板の粉砕物、レンガの粉砕物、気泡コンクリート（ＡＬＣ）の粉砕物、セピオライト、ゼオライト、ペーパースラッジ焼却灰等が挙げられる。
有機系保水材としては、例えば、ポリアクリル酸ナトリウム、カルボキシメチルセルロースナトリウム等が挙げられる。
保水材の粒径は、好ましくは０．１〜５ｍｍ、より好ましくは０．５〜５ｍｍである。該粒径が０．１ｍｍ未満では、セメント、水等を含む混練物の流動性が損なわれる恐れがある。該粒径が５ｍｍを超えると、吸水効果が低下する。
【０００８】
本発明で使用する上記の各必須材料の配合量は、次のとおりである。
骨材の量は、混練物の硬化体（動物用保冷具）の機械的強度等の観点から、セメント１００質量部に対して、好ましくは１００〜５００質量部である。
保水材の量は、保水性能や動物用保冷具の機械的強度等の観点から、セメント１００重量部に対して、好ましくは１０〜８０重量部、より好ましくは２０〜７０重量部である。
保水材の量が前記の好ましい数値範囲内である場合、混練物の硬化体（動物用保冷具）の単位体積当たりの保水量は、好ましくは０．０１〜０．５ｇ／ｃｍ３、より好ましくは０．０５〜０．４ｇ／ｃｍ３である。保水量が０．０１ｇ／ｃｍ３未満では、動物に対する保冷の効果が不十分となる。保水量が０．５ｇ／ｃｍ３を超えると、水の蒸散が激しくなり、動物用保冷具の表面の湿度が上がり過ぎて、動物に不快感を与える恐れがある。
水の量は、セメント１００重量部に対して、好ましくは１５〜４０重量部である。該量が１５重量部未満では、混練を十分に行うことが困難となる。該量が４０重量部を超えると、混練物の硬化体（動物用保冷具）の曲げ強度等の機械的強度が低下する。
【０００９】
本発明において、上記の必須材料に加えて、任意材料を用いることができる。
任意材料の例として、着色剤や、抗菌性の金属イオンを供給し得る抗菌物質や、害虫嫌忌剤や、減水剤や、補強用繊維等が挙げられる。
着色剤は、動物用保冷具の美観を高めるためのものである。着色剤としては、例えば、酸化鉄等が挙げられる。
抗菌性の金属イオンを供給し得る抗菌物質は、保水性を有するために常に連続空隙内が湿潤状態にある動物用保冷具に、かびやコケなどが発生するのを防止し、動物に清潔な環境を与えるためのものである。
抗菌性の金属イオンとしては、例えば、銀イオン、銅イオン等が挙げられる。
抗菌物質は、粉体と液体のいずれの形態でもよい。
粉体である抗菌物質の例としては、銀、銅等の金属をセラミックスに加えて焼き固めた無機粉末や、銀、銅等の金属を合成樹脂に練り込んで製造される有機粉末などが挙げられる。これらの無機粉末や有機粉末は、市販品として入手可能である。
抗菌物質が粉体である場合、抗菌物質の添加量は、抗菌効果等の観点から、セメント１００重量部に対して、好ましくは０．５〜３０重量部、より好ましくは１〜２０重量部である。
液体である抗菌物質の例としては、金属イオンを高濃度で含む水溶液を希釈してなる液体や、金属イオンの放出能を有するセラミックスや合成樹脂を水の中に浸漬させて得られる液体等が挙げられる。
抗菌物質の使用方法としては、（ａ）粉体である抗菌物質を、セメント、水等と共に混練する方法、（ｂ）液体である抗菌物質を、セメント、水等と共に混練する方法、（ｃ）液体である抗菌物質を、散布、浸漬等によって、セメント、水等からなる混練物の硬化体の表面から連続空隙内に浸入させる方法、（ｄ）前記（ａ）〜（ｃ）の中の２つ以上の併用、などが挙げられる。
【００１０】
害虫嫌忌剤としては、一般的に用いられている蚤、ダニ、蚊等の駆除剤を使用することができる。例えば、アレスリン、ペルウメトリン、フタルスリン、ディート、ピペロニルブトキサイド、サイネピリン等の除虫菊製剤や、ジムピラート、サイチオアート、ジクロルボス、ダイアジノン、フェンチオン、テトラクロルビンフォス等の有機リン製剤や、プロポクスル等のカーバメイト系製剤等が挙げられる。
特に、天然の除虫菊の有効成分であるピレトリンと同じ化学式を有する化学合成物質であるピレステロイド系殺虫剤は、毒性が低いので、好ましい。ピレステロイド系殺虫剤によれば、蚊を媒体として感染するフェラリアなどの家畜特有の疾病も防止し得る可能性がある。
【００１１】
減水剤としては、リグニン系、ナフタレンスルホン酸系、メラミン系、ポリカルボン酸系の減水剤、ＡＥ減水剤、高性能減水剤または高性能ＡＥ減水剤を使用することができる。
これらのうち、減水効果の大きなポリカルボン酸系の高性能減水剤又は高性能ＡＥ減水剤が好ましい。なお、減水剤は、液体と粉体のいずれの形態でもよい。
補強用繊維は、セメント、水等の混練物の硬化体の曲げ強度を高めるためのものである。
補強用繊維としては、例えば、金属繊維、有機質繊維、炭素繊維等が挙げられる。これらの繊維は、１種単独で使用してもよいし、２種以上を併用してもよい。
金属繊維としては、鋼繊維、ステンレス繊維、アモルファス繊維等が挙げられる。中でも、鋼繊維は、強度に優れており、また、コストや入手のし易さの点からも好ましい。金属繊維の寸法は、混練物の硬化後の曲げ強度を向上させる観点から、直径が０．０１〜１．０ｍｍ、長さが２〜３０ｍｍであることが好ましい。
金属繊維の配合量は、混練物の硬化体（動物用保冷具）中の体積割合で、好ましくは４．０％未満である。
【００１２】
有機質繊維としては、ビニロン繊維、ポリプロピレン繊維、ポリエチレン繊維、アラミド繊維等が挙げられる。中でも、ビニロン繊維は、コストや入手のし易さの点で好ましい。
炭素繊維としては、ＰＡＮ系炭素繊維、ピッチ系炭素繊維が挙げられる。
有機質繊維及び／又は炭素繊維の寸法は、直径が０．０１〜１．０ｍｍ、長さ２〜３０ｍｍであることが好ましい。
有機質繊維及び／又は炭素繊維の配合量は、混練物の硬化体（動物用保冷具）中の体積割合で、好ましくは１０．０％未満である。
【００１３】
本発明において使用することのできる成型方法は、流し込み成型、即脱成型、振動成型、押し出し成型、高加圧即時脱型、高振動加圧即時脱型等である。
本発明において使用することのできる養生方法は、気中養生、水中養生、オートクレーブ養生、蒸気養生等である。
【００１４】
本発明の動物用保冷具は、多数の微細な連続空隙を有する。この連続空隙は、ポーラスコンクリートと称される多孔質コンクリートにおける連続空隙と同じように形成されているものである。本発明においては、この連続空隙を通じて雨水等の水が、動物用保冷具の表面から内部に浸入して、保水材によって保持された後、保水材から徐々に蒸散した水分が、連続空隙を通じて、動物用保冷具の表面から大気中に拡散し、動物用保冷具の表面の周囲の温度を低下させる。これによって、例えば、動物用保冷具の上に横たわる動物に対して冷却の効果を長時間に亘って連続的に与えることができる。
本発明の動物用保冷具は、保冷用寝具、保冷用床部材、保冷用壁部材、保冷用屋根部材等の、成形された保冷具として用いることができる。
【００１５】
次に、本発明の動物用保冷具の実施形態の一例を、図面を参照して説明する。図１は、本発明の動物用保冷具の一例を示す断面図である。
図１中、本発明の動物用保冷具１は、動物が横たわるための表面（上面）を有する表層２と、基層３との積層体である。
表層２は、細骨材、セメント、水、及び必要に応じて配合される減水剤等を含む混練物（ただし、粗骨材を含まない。）を成形し硬化させてなり、かつ、連続空隙を有するものである
基層３は、粗骨材、細骨材、セメント、保水材、水、及び必要に応じて配合される減水剤等を含む混練物を成形し硬化させてなり、かつ、連続空隙を有するものである。
表層２の厚さは、例えば、３〜１０ｍｍである。基層３の厚さは、例えば、２０〜１００ｍｍである。
動物用保冷具１の表面の広さ（長さ及び幅）は、特に限定されないが、通常、２０〜３００ｃｍ（長さ）×１０〜２００ｃｍ（幅）である。
動物用保冷具１の表面の形状は、矩形に限らず、円形、楕円形等でもよい。
動物用保冷具１を複数個組み合わせて、大型の動物用の保冷具を構成することもできる。例えば、２０ｃｍ（長さ）×２０ｃｍ（幅）×６ｃｍ（厚さ）の動物用保冷具１を、長さ方向に１０個、幅方向に５個、敷き詰めれば、２００ｃｍ（長さ）×１００ｃｍ（幅）×６ｃｍ（厚さ）の保冷具を形成することができる。
【実施例】
【００１６】
以下、実施例によって本発明を説明する。
［実施例１］
１．材料
１）粗骨材        ６号砕石（粒径：５〜１３ｍｍ）
２）細骨材        砂（最大粒径：５ｍｍ以下）
３）セメント      普通ポルトランドセメント
４）保水材        ＡＬＣ廃材粉末（平均粒径：３ｍｍ）
５）水
６）減水剤        「マイティー１００」（商品名；花王社製）
７）抗菌剤        銀アパタイトセラミックス
８）害虫嫌忌剤    ピレステロイド系殺虫剤
９）着色剤        酸化鉄
【００１７】
２．材料の配合量
１）基層
基層の材料として、粗骨材１００２ｋｇ／ｍ３、細骨材５０３ｋｇ／ｍ３、セメント４００ｋｇ／ｍ３、保水材２５０ｋｇ／ｍ３、水１１５ｋｇ／ｍ３、抗菌剤２５ｋｇ／ｍ３を使用した。
２）表層
表層の材料として、細骨材１４２０ｋｇ／ｍ３、セメント５００ｋｇ／ｍ３、水１４５ｋｇ／ｍ３、減水剤２ｋｇ／ｍ３、着色剤５ｋｇ／ｍ３を使用した。
３．練り混ぜ・成形
１）基層
二軸型ミキサーに全材料を投入し練り混ぜた後、即脱成形機を用いて振動成形し、２０ｃｍ（長さ）×１０ｃｍ（幅）×５ｃｍ（厚さ）の成形体である基層を得た。
２）表層
即脱成形機を用いて型枠内に形成された上記１）の基層の上に、厚さが５ｍｍになるように表層用の混練物を投入した後、振動成形し、基層と表層との積層体である成形体を得た。
【００１８】
４．養生
上記「３．練り混ぜ・成形」で得た成形体を空気中（相対湿度６０％、温度３０℃）に１週間放置した。
５．動物用保冷具を用いた寝床の形成
養生後の成形体を、屋外にて、長さ方向に５個、幅方向に１０個、敷き詰めて、１ｍ（長さ）×１ｍ（幅）の動物用の寝床を形成させた。この動物用の寝床の周囲を木枠で固定した。この動物用の寝床の上面に、水及び少量のピレステロイド系殺虫剤を散布した。この時、気温３０℃、晴天であった。
６．寝床の表面温度の測定
前記の水等の散布後に、動物用の寝床の表面温度の測定を行ったところ、３２℃であった。なお、この温度は、下記の参考例１（芝生）における温度（３４℃）よりも低いものである。
７．セントバーナード犬の観察
上記「５．動物用保冷具を用いた寝床の形成」で形成した動物用の寝床の近くに、セントバーナード犬を放ったところ、動物用の寝床の上にセントバーナード犬が好んで横たわることが観察された。
次に、上記「５．動物用保冷具を用いた寝床の形成」で形成した動物用の寝床を、ベランダの日陰に持ち込んだ。日陰の温度が３０℃であったのに対し、動物用の寝床の表面の温度は、２５℃であった。セントバーナード犬は、従来、日陰のコンクリートの上で寝るのを好んでいたが、動物用の寝床を設置したところ、この寝床の上で寝る様子が多く見られた。
【００１９】
［比較例１］
実施例１の上記「５．動物用保冷具を用いた寝床の形成」で形成した動物用の寝床の近くに、アスファルト舗装を形成し、上記「６．寝床の表面温度の測定」の温度の測定と同時に、このアスファルト舗装の表面温度を測定したところ、４３℃であった。
［比較例２］
実施例１の上記「５．動物用保冷具を用いた寝床の形成」で形成した動物用の寝床の近くに、アルミニウム板（厚さ：３ｍｍ）を敷設し、上記「６．寝床の表面温度の測定」の温度の測定と同時に、このアルミニウム板の表面温度を測定したところ、４３℃であった。
［参考例１］
実施例１の上記「５．動物用保冷具を用いた寝床の形成」で形成した動物用の寝床の近くに、芝生があった。上記「６．寝床の表面温度の測定」の温度の測定と同時に、この芝生の表面温度を測定したところ、３４℃であった。
【図面の簡単な説明】
【００２０】
【図１】本発明の動物用保冷具の一例を示す断面図である。
【符号の説明】
【００２１】
１    動物用保冷具
２    表層
３    基層
【図１】
2009011276.tif 000003